(57)【要約】      （修正有）【課題】重量物を載せた状態で自在に旋回することができ、手すりを自在に着脱することができ、重量物運搬作業前後で、楽に運ぶことができる手押し台車を提供する。【解決手段】荷台部１の上面の四方の角に、旋回キャスター取付けベース板２を嵌め込み、旋回キャスター取付けベース板に固定した複数の固定ボルト３で、荷台部の底面から旋回キャスター取付け当て板４を取付け、荷台部の底面の四方の角に４個の旋回キャスターを取り付け、荷台部の上面に、手すり用貫通孔を設けた手すり用取付け当て板１０を嵌め込み、手すり取付け当て板に固定した複数の固定ボルトで、荷台部の底面から複数の固定ボルトのうち縦方向の上下固定ボルトに、アングル型手すり枠取付けベース板１３を取付け、アングル型手すり枠取付けベース板の両端の上下面に貫通して固定した筒体状手すり枠１６を設け、コの字型の手すり１７を上から差し込んだものである。【選択図】図１
0003213955.tif 000002
【実用新案登録請求の範囲】
【請求項１】
荷台部の上面の四方の角に、旋回キャスター取付けベース板を埋め込むために切込み部を設け、上記切込み部に複数のボルト用貫通孔を設け、上記切込み部に上記旋回キャスター取付けベース板を嵌め込み、上記荷台部の上面と上記旋回キャスター取付けベース板の上面とはフラットであり、同時に上記旋回キャスター取付けベース板に固定した複数の固定ボルトを上記切込み部のボルト用貫通孔に貫通し、上記荷台部の底面から、上記ボルト用貫通孔に貫通した複数の固定ボルトに旋回キャスター取付け当て板のボルト用貫通孔を通し、さらに旋回キャスターの取付け部の複数の孔を通し、上記複数の固定ボルトにナットを締付けることによって、上記旋回キャスター取付けベース板と上記旋回キャスター取付け当て板とを固定し、上記荷台部の底面の四方の角に４個の旋回キャスターを取り付け、４個の旋回キャスターのうち対角線上にストッパー付旋回キャスターを２個取り付け、上記荷台部の上面の横方向の左右上記キャスター取付けベース板の内側に、隣接して手すり枠取付け当て板を埋め込むために切込み部を設け、上記切込み部に複数のボルト用貫通孔を設け、上記切り込み部の中央に手すりが通る貫通孔を設け、上記切込み部に上記手すり用貫通孔を設けた手すり用取付け当て板を嵌め込み、上記手すり用取付け当て板の上面は上記荷台部の上面とフラットであり、同時に上記手すり取付け当て板に固定した複数の固定ボルトを上記切り込み部に設けたボルト用貫通孔に貫通し、上記荷台部の底面から、上記貫通した複数の固定ボルトのうち、縦方向の上下の固定ボルトに、アングル型手すり枠取付けベース板の両端に設けた複数のボルト用貫通孔を通し、上記アングル型手すり枠取付けベース板を取付け、上記荷台部の底面の縦方向で左右に上記アングル型手すり枠取付けベース板を取付け、上記複数の固定ボルトにナットを締付けことによって、上記手すり枠取付け当て板と上記アングル型手すり枠取付けベース板とを固定し、上記アングル型手すり枠取付けベース板の両端の上下面に貫通して固定した筒体状手すり枠を設け、上記筒体状手すり枠の上部を上記手すり枠取付け当て板に設けた手すり用貫通孔に通し、上記筒体状手すり枠の上部の上端は手すり枠取付け当て板の上面より少し沈んだ高さにあり、コの字型の手すりを、横方向の左右の手すり用貫通孔に上から差し込み、上記手すりの芯部が上記手すり枠取付けベース板の上記筒体状手すり枠に密着して貫通し、同時に上記手すりの芯部の外周部は上記筒体状手すり枠の上端部に当接し、上記荷台部の中央に手の指が入る貫通孔を設けた重量物用手押し台車。
【請求項２】
旋回キャスター取付けベース板、旋回キャスター取付け当て板、手すり枠取付け当て板、およびアングル型手すり枠取付けベース板は、鉄製である請求項１記載の重量物用手押し台車。
【請求項３】
旋回キャスター取付けベース板、旋回キャスター取付け当て板、手すり枠取付け当て板、およびアングル型手すり枠取付けベース板は、アルミ合金製である請求項１記載の重量物用手押し台車。
【考案の詳細な説明】
【技術分野】
【０００１】  本考案は、ボード板に鉄またはアルミを貼り付けたパネル板等防火性の強いパネル板、またはガラス板を何枚も縦に重ねた状態の重量物を建築現場に運搬する手押し台車に関するものである。
【背景技術】
【０００２】  従来の重量物用手押し台車は、台車に付けた車輪は直進方向にしか進行せず、また台車に載せた複数枚のパネル板等をもたれて立たせる手すりが固定式であり、さらに台車そのものを移動させるために自動車に乗せることが、大変であった。【０００３】  従来の重量物用手押し台車は、直進方向しか進まないので、方向を変えようとするときは、重量物を載せた状態の台車を少し横にずらしながら方向を変える。大変、力の必要な作業であった。また、パネル板を立てた状態に支える手すりが固定式であるので、台車そのものをコンパクトにできず、台車をワンボックスカーに乗せることができなかった。
【先行技術文献】
【特許文献】
【０００４】
【特許文献】特開２００５−３４９９０６号公報
【特許文献】特開２００２−２０５６５６号公報
【実用新案文献】
実開平６−２９３１４号公報
【実用新案文献】
実願平２−１１３４３５号
【考案の概要】
【考案が解決しようとする課題】
【０００５】  従来の重量物用手押し台車は、進行方向を変えようとするときは、重量物を載せた状態の台車を少し横にずらしながら方向を変えることになるので、ビルのエレベーターの中に台車を出し入れすることが特に、大変であった。また、台車に取付けた手すりが固定式であるので、台車をコンパクトにできず、台車そのものを移動させることが大変であった。【０００６】  本考案は、このような問題点を解決しょうとするものであり、重量物を載せた状態で台車を自在に旋回することができ、台車に手すりを自在に着脱することができ、重量物運搬作業前後で、台車を楽に運ぶことができることを目的とするものである。
【課題を解決するための手段】
【０００７】  本考案は、上記課題を解決するために、荷台部の上面の四方の角に、旋回キャスター取付けベース板を埋め込むために切込み部を設け、上記切込み部に複数のボルト用貫通孔を設け、上記切込み部に上記旋回キャスター取付けベース板を嵌め込み、上記荷台部の上面と上記旋回キャスター取付けベース板の上面とはフラットであり、同時に上記旋回キャスター取付けベース板に固定した複数の固定ボルトを上記切込み部のボルト用貫通孔に貫通し、上記荷台部の底面から、上記ボルト用貫通孔に貫通した複数の固定ボルトに旋回キャスター取付け当て板のボルト用貫通孔を通し、さらに旋回キャスター取付け部の複数の孔を通し、上記複数の固定ボルトにナットを締付けることによって、上記旋回キャスター取付けベース板と上記旋回キャスター取付け当て板とを固定し、上記荷台部の底面の四方の角に４個の旋回キャスターを取り付け、４個の旋回キャスターのうち対角線上にストッパー付旋回キャスターを２個取り付け、上記荷台部の上面の横方向の左右上記キャスター取付けベース板の内側に、隣接して手すり枠取付け当て板を埋め込むために切込み部を設け、上記切込み部に複数のボルト用貫通孔を設け、上記切り込み部の中央に手すりが通る貫通孔を設け、上記切込み部に上記手すり用貫通孔を設けた手すり用取付け当て板を嵌め込み、上記手すり用取付け当て板の上面は上記荷台部の上面とフラットであり、同時に上記手すり取付け当て板に固定した複数の固定ボルトを上記切り込み部に設けたボルト用貫通孔に貫通し、上記荷台部の底面から、上記貫通した複数の固定ボルトのうち、縦方向の上下の固定ボルトに、アングル型手すり枠取付けベース板の両端に設けた複数のボルト用貫通孔を通し、上記アングル型手すり枠取付けベース板を取付け、上記荷台部の底面の縦方向で左右に上記アングル型手すり枠取付けベース板を取付け、上記複数の固定ボルトにナットを締付けことによって、上記手すり枠取付け当て板と上記アングル型手すり枠取付けベース板とを固定し、上記アングル型手すり枠取付けベース板の両端の上下面に貫通して固定した筒体状手すり枠を設け、上記筒体状手すり枠の上部を上記手すり枠取付け当て板に設けた手すり用貫通孔に通し、上記筒体状手すり枠の上部の上端は手すり枠取付け当て板の上面より少し沈んだ高さにあり、コの字型の手すりを、横方向の左右の手すり用貫通孔に上から差し込み、上記手すりの芯部が上記手すり枠取付けベース板の上記筒体状手すり枠に密着して貫通し、同時に上記手すりの芯部の外周部は上記筒体状手すり枠の上端部に当接し、上記荷台部の中央に手の指が入る貫通孔を設けたものである。【０００８】  本考案は、上記課題を解決するために、荷台部の上面の四方の角に、旋回キャスター取付けベース板を嵌め込むために切込み部を設け、上記切込み部に複数のボルト用貫通孔を設け、上記切込み部に上記旋回キャスター取付けベース板を嵌め込み、同時に上記旋回キャスター取付けベース板に固定した複数の固定ボルトを上記ボルト用貫通孔に貫通し、上記荷台部の底面から旋回キャスター取付け当て板を当て、上記旋回キャスター取付けベース板と上記旋回キャスター取付け当て板とで、荷台部に取付けるキャスターの取付けを補��している。【０００９】  また、本考案は、上記課題を解決するために、荷台部の上面の四方に手すり枠取付け当て板を埋め込むために切込み部を設け、上記切込み部に複数のボルト用貫通孔を設け、上記切込み部に上記手すり枠取付け当て板を嵌め込み、同時に上記手すり枠取付け当て板に固定した複数の固定ボルトを上記ボルト用貫通孔に貫通し、上記荷台部の底面からＬ字型手すり枠取付けベース板を当て、上記手すり枠取付け当て板と、上記Ｌ字型手すり枠取付けベース板とで、上記荷台部に取付ける筒体状手すり枠の取付けを補強している。【００１０】  本考案の使用方法は、荷台部と手すりと分離できるので、ワンボックスカーの後部ドアーから本考案のキャスター付荷台部の中央に設けた貫通孔に手の指を入れて、本考案の台車を入れ、つぎに、手すりも入れて、建設現場に運び建設現場に着くと、本考案の台車に手すりを嵌め込み、荷台部の手すりと手すりの間に重量物のパネル板を数枚載せて、手すりを持ちながら荷台部のキャスターを転がして、目的地までパネル板を運ぶ。途中でエレベーターに台車を入れるときは、キャスターが自在に旋回するのでパネル板を載せた状態で台車を希望の階に運ぶことができる。【００１１】  また、建設現場での運搬作業が終了すると、台車から手すりを分離し、ワンボックスカーの後部ドアーから台車と手すりを入れ、帰途につくことができる。
【考案の効果】
【００１２】  本考案の特有の効果は、重量物を載せた状態で台車を自在に旋回し、重量物を運搬することができる。また台車から手すりを自在に着脱することができるので、台車をコンパクトにできる。したがって、ワンボックスカーで台車を楽に運ぶことができるので、職人には大変喜ばれるものである。【００１３】  また、荷台部の上面に取付けた旋回キャスター取付けベース板と、荷台部の底面に取付けた旋回キャスター取付け当て板とをボルトとナットで締めながら、旋回キャスターを取付けているので旋回キャスターの取付けが堅牢である。そして、荷台部の上面に取付けた手すり枠取付け当て板と、荷台部の底面に取付けたアングル型手すり枠取付けベース板とをボルトとナットで締め付けているので、手すりを差し込む筒体状手すり枠の取付けが堅牢である。さらに、手すりの芯部が筒体状手すり枠に密着して貫通するので、手すりのがたつきがなく、しかも手すりの芯部の外周部は筒体状手すり枠に入らず、筒体状手すり枠の上端部に当接しているので、手すりを抜こうとするときは無理なく抜ける。
【図面の簡単な説明】
【００１４】
【図１】本考案の一実施形態を示す重量物用手押し台車の荷台部を一部切欠き、荷台部にキャスターおよび手すりを取付けた部分の断面を示す正面図
【図２】同重量物用手押し台車の平面図
【図３】同重量物用手押し台車の荷台部を一部切欠き、荷台部に手すりを取付けた部分の断面を示す側面図
【図４】本考案の一実施形態を示す旋回キャスター取付けベース板の平面図
【図５】同旋回キャスター取付けベース板の正面図
【図６】本考案の一実施例を示す手すり枠取付け当て板の平面図
【図７】同鉄製手すり枠取付け当て板の正面図
【図８】本考案の一実施例を示す手すり枠取付けベース板の平面図
【図９】同鉄製手すり枠取付けベース板の正面図
【図１０】本考案の一実施例を示す手すりの正面図
【考案を実施するための形態】
【００１５】  本考案の実施の形態は、図１〜図５で示すように、荷台部１の上面の四方の角に、旋回キャスター取付け鉄製ベース板２を埋め込むために切込み部を設け、上記切込み部に複数のボルト用貫通孔を設け、上記切込み部に上記旋回キャスター取付け鉄製ベース板２を嵌め込み、上記荷台部１の上面と上記旋回キャスター取付け鉄製ベース板２の上面とはフラットであり、同時に上記旋回キャスター取付け鉄製ベース板２に固定した複数の固定ボルト３を上記切込み部のボルト用貫通孔に貫通する。上記荷台部１の底面（底面を図示せず）から、上記ボルト用貫通孔に貫通した複数の固定ボルト３に旋回キャスター取付け鉄製当て板４のボルト用貫通孔を通し、さらに旋回キャスター取付け部５の複数の孔を通し、上記複数の固定ボルト３にナット６を締付けることによって、上記旋回キャスター取付け鉄製ベース板２と上記旋回キャスター取付け鉄製当て板４とを固定する。上記荷台部１の底面の四方の角に４個の旋回キャスター７を取り付け、４個の旋回キャスター７のうち、対角線上にストッパー付旋回キャスター７ａを２個取り付ける。荷台部１はコンパネ等の木製の方が軽量化できる。
【００１６】  そして、図１〜図３および図６〜図１０に示すように、上記荷台部１の上面の横方向の左右上記キャスター取付け鉄製ベース板２の内側に、隣接して鉄製手すり枠取付け当て板１０を埋め込むために切込み部を設け、上記切込み部に複数のボルト用貫通孔を設け、また、上記切り込み部の中央に手すりが通る貫通孔を設け、上記切込み部に手すり用貫通孔１１を設けた上記鉄製手すり用取付け当て板１０を嵌め込み、上記鉄製手すり用取付け当て板１０の上面は上記荷台部１の上面とフラットである。上記鉄製手すり取付け当て板１０に固定した複数の固定ボルト１２を上記切り込み部に設けたボルト用貫通孔に貫通する。上記荷台部１の底面（底面を図示せず）から、上記貫通した複数の固定ボルト１２のうち、図１，２で示すように、縦方向の上下の、図固定ボルト１２に、鉄製アングル型手すり枠取付けベース板１３の両端に設けた複数のボルト用貫通孔１４を通し、上記鉄製アングル型手すり枠取付けベース板１３を取付け、上記荷台部１の底面の縦方向で左右に上記鉄製アングル型手すり枠取付けベース板１３を取付け、上記複数の固定ボルト１２にナット１５を締付けことによって、鉄製手すり枠取付け当て板１０と鉄製Ｌ字型手すり枠取付けベース板１３とを固定する。
【００１７】  上記鉄製アングル型手すり枠取付けベース板１３の両端の上下面に貫通して固定した筒体状手すり枠１６を設け、上記筒体状手すり枠１６の上部を上記鉄製手すり枠取付け当て板１０に設けた手すり用貫通孔１１に通し、上記筒体状手すり枠１６の上部の上端は鉄製手すり枠取付け当て板１０の上面より少し沈んだ高さにあり、コの字型の手すり１７を、図１，２で示すように、横方向の左右の手すり用貫通孔１１に上から差し込み、上記手すり１７の芯部が上記鉄製手すり枠取付けベース板１３の上記筒体状手すり枠１６に密着して貫通し、同時に上記手すり１７の芯部の外周部は上記筒体状手すり枠１６の上端部に当接し、上記荷台部１の中央に手の指が入る貫通孔８を設けたものである。
【００１８】  旋回キャスター取付け鉄製ベース板２、旋回キャスター取付け鉄製当て板４および鉄製手すり枠取付け当て板１０、鉄製手すり枠取付けベース板１３は、鉄製でなく、アルミ合金製その他の金属製でも良い。
【符号の説明】
【００１９】１・・・・荷台部
２・・・・旋回キャスター取付け鉄製ベース板
３・・・・固定ボルト
４・・・・旋回キャスター取付け鉄製当て板
５・・・・旋回キャスター取付け部
６・・・・ナット
７・・・・旋回キャスター
８・・・・貫通孔
１０・・・鉄製手すり枠取付け当て板
１１・・・手すり用貫通孔
１２・・・固定ボルト
１３・・・鉄製アングル型手すり枠取付けベース板
１４・・・ボルト用貫通孔
１５・・・ナット
１６・・・筒体状手すり枠
１７・・・手すり
【図１】
0003213955.tif 000003
【図２】
0003213955.tif 000004
【図３】
0003213955.tif 000005
【図４】
0003213955.tif 000006
【図５】
0003213955.tif 000007
【図６】
0003213955.tif 000008
【図７】
0003213955.tif 000009
【図８】
0003213955.tif 000010
【図９】
0003213955.tif 000011
【図１０】
0003213955.tif 000012